(57)【要約】【課題】メガネに対して後から取り付けできるサングラスであって、サングラス板が跳ね上げられた位置で安定的に保持され、かつ、メガネに確実に装着されるサングラス及びその取付金具の提供。【解決手段】取付金具は、軸片、基体、基体当接片、弾性体、弾性体受け片とを具備する。基体は、軸片に対して回動自在とされ、基体当接片と弾性体受け片は、軸片に対して回動不能に固定される。弾性体の弾力により、基体当接片が、基体の方に押圧されて、基体当接片と基体とが噛み合うことで、軸片の端部に取り付けられるサングラス板が、段階的に上下に起伏自在・停止自在とされる。【選択図】図１
2006162905.tif 000002
【特許請求の範囲】
【請求項１】
メガネに対して着脱可能なサングラスのための取付金具であって、
両端部にサングラス板を取付可能な、棒状に延びる軸片と、
該軸片に貫通されて、該軸片に対して回動自在とされた基体と、
該基体の一端に当接されて、該軸片に対して回動不能に固定された基体当接片と、
該基体の他端に弾性体を介して当接されて、該軸片に対して回動不能に固定された弾性体受け片と、
を具備し、
該基体と該基体当接片の当接する互いの端部には、互いに噛み合う形状の山部と谷部が交互に連続して外周に沿ってそれぞれ設けられ、
該弾性体は、該基体と該弾性体受け片の間に弾力的に挟着され、
該弾性体の弾力により、該基体当接片が、該基体の方に押圧されて、一方の該山部が他方の該谷部と噛み合うことで、安定状態とされ、
サングラス板を押し上げる／押し下げる動きと連動して、該軸片が回動された場合に、
該基体当接片が、該基体と当接しながら軸片と一体となって回動すると同時に、該弾性体の弾力に抗して、該基体当接片が該基体から離れる向きに軸方向移動し、
さらに、該基体当接片が、該弾性体の付勢力に従って、該基体の方に向かって軸方向移動して、再び、該基体と互いに噛み合うことで、安定状態に戻されることによって、
該軸片の両端部に取り付けられるサングラス板を、段階的に上下に起伏自在・停止自在とすることを特徴とするサングラス取付金具。
【請求項２】
前記弾性体は、コイル状ばねであることを特徴とする請求項１記載のサングラス取付金具。
【請求項３】
メガネに対して着脱可能であり、サングラス板が上下に起伏自在とされた多段階停止機能付きサングラスであって、
請求項１又は２記載のサングラス取付金具を用いて構成され、
該基体が該軸片の回動に追従しないように、メガネに装着固定可能とされたことを特徴とするサングラス。
【請求項４】
メガネに対して着脱可能であり、サングラス板が上下に起伏自在とされた多段階停止機能付きサングラスであって、
請求項１又は２記載のサングラス取付金具を用いて構成され、
該基体と接続固定され、端部に引掛部を備えた棒状クリップを、メガネに掛着することによって、該基体が該軸片の回動に追従しないように、メガネに装着固定可能とされたことを特徴とするサングラス。
【請求項５】
メガネに対して着脱可能なサングラスのための取付金具であって、
棒状に延びる軸片と、
該軸片に貫通されて該軸片廻りを回動自在とされ、サングラス板を取付可能とされた基体と、
該基体の一端に当接されて、該軸片に対して回動不能に固定された基体当接片と、
該基体の他端に弾性体を介して当接されて、該軸片に対して回動不能に固定された弾性体受け片と、
を具備し、
該基体と該基体当接片の互いに当接する端部には、互いに噛み合う形状の山部と谷部が交互に連続して外周に沿ってそれぞれ設けられ、
該弾性体は、該基体と該弾性体受け片の間に弾力的に挟着され、
該弾性体の弾力により、該基体が、該基体当接片の方に押圧されて、一方の該山部が他方の該谷部と噛み合うことで、安定状態とされ、
サングラス板を押し上げる／押し下げる動きと連動して、該基体が回動された場合に、
該基体が、該基体当接片と当接しながら該軸片廻りを回動すると同時に、該弾性体の弾力に抗して、該弾性体受け片の方に向かって軸方向移動し、
さらに、該基体が、該弾性体の付勢力に従って、該基体当接片の方に向かって軸方向移動して、再び、該基体当接片と互いに噛み合うことで、安定状態に戻されることによって、
該基体に取り付けられるサングラス板を、段階的に上下に起伏自在・停止自在とすることを特徴とするサングラス取付金具。
【請求項６】
前記弾性体は、コイル状ばねであることを特徴とする請求項５記載のサングラス取付金具。
【請求項７】
メガネに対して着脱可能であり、サングラス板が上下に起伏自在とされた多段階停止機能付きサングラスであって、
請求項５又は６記載のサングラス取付金具を用いて構成され、
該取付金具から左右に伸びる軸片が、該基体の回動に追従しないように、メガネに装着固定可能とされたことを特徴とするサングラス。
【発明の詳細な説明】
【技術分野】
【０００１】
本発明は、メガネに対して着脱自在に装着できるサングラス及びその取付金具に関する。
【背景技術】
【０００２】
既存の保有メガネに対して後から取り付けできるサングラスは、度付きサングラスに比べてはるかに安価であり、つり、ドライブなど屋外活動用の他、日常生活用としても広く利用されている。
そして、必要に応じて、サングラス板が上方に跳ね上げ可能とされたサングラスが見られる。このようなサングラスは、使用者が、室内やトンネル内など暗い場所に入ったとき、一時的にその使用を中止することが可能であるという長所を有している。
【０００３】
このようなサングラスの先行技術としては、図１６に示されるように、サングラス中央のブリッジ部に洗濯ばさみ状の挟持クリップ（５０）が設けられたサングラスがある（U.S.  PATENT  DES.350,359／SEP.６.1994／Friedman）
【０００４】
【特許文献１】米国意匠特許第350359号
【発明の開示】
【発明が解決しようとする課題】
【０００５】
しかしながら、図１６に示される先行技術は、サングラス中央のブリッジ部の上方という目立つ場所に挟持クリップ（５０）が突出しているため、外観がスタイリッシュではなかった。
また、金具が重たく、長時間の使用時に、使用者の鼻への負担が大きかった。
また、サングラス板が上方に跳ね上げられた際に、サングラス板が停止するポイントが無く保持される状態が不安定であるため、使用しているうちにサングラス板が下がってくることがあった。
さらに、挟持クリップから延びた挟持腕（５１）によってメガネのレンズ部をその後ろ側から挟持していたため、使用しているうちにメガネから外れてしまうことがあった。
【０００６】
本発明は、このような従来の問題点に着目したものであり、取付金具の大きさ、形状、構造を工夫したサングラス及びその取付金具を提供するものである。
さらに詳述すると、本発明の目的は、外観に違和感がなくてデザイン性に優れ、小さくて軽い、サングラス及びその取付金具を提供することにある。
本発明のさらに目的とするところは、サングラス板が跳ね上げられた位置で安定的に保持され、かつ、メガネに確実に装着されるサングラス及びその取付金具を提供することにある。
この発明の他の特徴と利益とは、添付図面を参照した以下の説明で明白になるであろう。
【課題を解決するための手段】
【０００７】
上記の課題を解決するために、請求項１記載のサングラス取付金具は、メガネに対して着脱可能なサングラスのための取付金具であって、両端部にサングラス板を取付可能な、棒状に延びる軸片と、該軸片に貫通されて、該軸片に対して回動自在とされた基体と、該基体の一端に当接されて、該軸片に対して回動不能に固定された基体当接片と、該基体の他端に弾性体を介して当接されて、該軸片に対して回動不能に固定された弾性体受け片と、を具備し、該基体と該基体当接片の当接する互いの端部には、互いに噛み合う形状の山部と谷部が交互に連続して外周に沿ってそれぞれ設けられ、該弾性体は、該基体と該弾性体受け片の間に弾力的に挟着され、該弾性体の弾力により、該基体当接片が、該基体の方に押圧されて、一方の該山部が他方の該谷部と噛み合うことで、安定状態とされ、サングラス板を押し上げる／押し下げる動きと連動して、該軸片が回動された場合に、該基体当接片が、該基体と当接しながら軸片と一体となって回動すると同時に、該弾性体の弾力に抗して、該基体当接片が該基体から離れる向きに軸方向移動し、さらに、該基体当接片が、該弾性体の付勢力に従って、該基体の方に向かって軸方向移動して、再び、該基体と互いに噛み合うことで、安定状態に戻されることによって、該軸片の両端部に取り付けられるサングラス板を、段階的に上下に起伏自在・停止自在とすることを要旨とする。
【０００８】
請求項２記載のサングラス取付金具は、請求項１記載の構成において、前記弾性体は、コイル状ばねであることを要旨とする。
【０００９】
請求項３記載のサングラスは、メガネに対して着脱可能であり、サングラス板が上下に起伏自在とされた多段階停止機能付きサングラスであって、請求項１又は２記載のサングラス取付金具を用いて構成され、該基体が該軸片の回動に追従しないように、メガネに装着固定可能とされたことを要旨とする。
【００１０】
請求項４記載のサングラスは、メガネに対して着脱可能であり、サングラス板が上下に起伏自在とされた多段階停止機能付きサングラスであって、請求項１又は２記載のサングラス取付金具を用いて構成され、該基体と接続固定され、端部に引掛部を備えた棒状クリップを、メガネに掛着することによって、該基体が該軸片の回動に追従しないように、メガネに装着固定可能とされたことを要旨とする。
【００１１】
請求項５記載のサングラス取付金具は、メガネに対して着脱可能なサングラスのための取付金具であって、棒状に延びる軸片と、該軸片に貫通されて該軸片廻りを回動自在とされ、サングラス板を取付可能とされた基体と、該基体の一端に当接されて、該軸片に対して回動不能に固定された基体当接片と、該基体の他端に弾性体を介して当接されて、該軸片に対して回動不能に固定された弾性体受け片と、を具備し、該基体と該基体当接片の互いに当接する端部には、互いに噛み合う形状の山部と谷部が交互に連続して外周に沿ってそれぞれ設けられ、該弾性体は、該基体と該弾性体受け片の間に弾力的に挟着され、該弾性体の弾力により、該基体が、該基体当接片の方に押圧されて、一方の該山部が他方の該谷部と噛み合うことで、安定状態とされ、サングラス板を押し上げる／押し下げる動きと連動して、該基体が回動された場合に、該基体が、該基体当接片と当接しながら該軸片廻りを回動すると同時に、該弾性体の弾力に抗して、該弾性体受け片の方に向かって軸方向移動し、さらに、該基体が、該弾性体の付勢力に従って、該基体当接片の方に向かって軸方向移動して、再び、該基体当接片と互いに噛み合うことで、安定状態に戻されることによって、該基体に取り付けられるサングラス板を、段階的に上下に起伏自在・停止自在とすることを要旨とする。
【００１２】
請求項６記載のサングラス取付金具は、請求項５記載の構成において、前記弾性体は、コイル状ばねであることを要旨とする。
【００１３】
請求項７記載のサングラスは、メガネに対して着脱可能であり、サングラス板が上下に起伏自在とされた多段階停止機能付きサングラスであって、請求項５又は６記載のサングラス取付金具を用いて構成され、該取付金具から左右に伸びる軸片が、該基体の回動に追従しないように、メガネに装着固定可能とされたことを要旨とする。
【発明の効果】
【００１４】
本発明によれば、外観に違和感がなくてデザイン性に優れ、小さくて軽い、サングラス及びその取付金具を提供することが可能となる。
また、サングラス板が跳ね上げられた位置で安定的に保持され、かつ、メガネに確実に装着されるサングラス及びその取付金具を提供することが可能となる。
【発明を実施するための最良の形態】
【００１５】
本発明に係るサングラス取付金具について、図面に基づいて説明する。
図１は、本発明における取付金具の構成を示す図である。図２は、本発明における取付金具の断面図である。図３は、本発明における取付金具の正面図である。図４は、本発明における取付金具の多段階停止機構を示す図である。図５は、本発明における取付金具の他の多段階停止機構を示す図である。
【００１６】
取付金具は、図１に示されるように、軸片（２）、基体（３）、基体当接片（４）、コイル状ばね（５）、弾性体受け片（６）により構成される。
基体（３）、基体当接片（４）、弾性体受け片（６）は、図２に示されるように、棒状の軸片（２）によって貫通される筒状体として構成される。
図１に示されるように、基体（３）の基体当接片（４）と当接する端部には、山部（１０）と谷部（１１）が外周に沿って交互に連続して設けられている。同様に、基体当接片（４）の基体（３）と当接する端部にも、同一形状の谷部（１２）と山部（１３）が、交互に連続して設けられている。
図２に示されるように、コイル状ばね（５）は、軸片（２）にコイル状となって巻きつけられる。基体（３）は、コイル状ばね（５）を介して、弾性体受け片（６）と当接する。図２に示されるように、基体（３）の一端は、基体（３）にコイル状ばね（５）の一部が内包される形状によって切欠される。このようにすることで、コイル状ばねが保護されて、取付金具の外観がスマートになる。
一方で、弾性体受け片（６）の一端のコイル状ばね（５）と当接する面は、軸片（２）に貫通される部分を除いて、フラットで切欠されていない。従って、コイル状ばね（５）は、弾性体受け片（６）の非常にきれいなフラット面と当接することとなる。これによって、コイル状ばね（５）のよじれや塑性変形が抑えられて耐久性が向上する。
【００１７】
基体（３）が、固定された軸片（２）に対して回動自在であるように、あるいは軸片（２）が、固定された基体（３）に対して回動自在であるように、基体（３）と軸片（２）とは固定されていない。
基体（３）の両端に位置する、基体当接片（４）及び弾性体受け片（６）は、軸片（２）に対して回動不能であるように、すなわち軸片（２）と一体となって動くように、軸片（２）に固定されている。
図１に示されるように、基体（３）と基体当接片（４）とは、一方の山部（１０）（１３）が他方の谷部（１２）（１１）に噛み合わされることによって、安定的に当接される。
一方で、基体（３）と弾性体受け片（６）とは、コイル状ばね（５）を介して当接される。そして、基体（３）と弾性体受け片（６）との間において、コイル状ばね（５）が自然長から幾分縮んだ状態で挟着される。
【００１８】
基体当接片（４）及び弾性体受け片（６）が軸片（２）に固定されており、基体（３）と弾性体受け片（６）との間には、コイル状ばね（５）が弾力的に挟着されているため、コイル状ばね（５）の弾力によって、基体（３）と基体当接片（４）とは噛み合わせられた状態で保持される。
なお、基体（３）と弾性体受け片（６）とは、後述するサングラス板の多段階停止機能が発揮されるために、相互に一定の間隔をもって配設される。
【００１９】
このようにして、図３に示すごとくの取付金具（１）が形成される。基体（３）にサングラス板取付アーム（７）を取り付け、サングラス板取付アーム（７）にサングラス板を取り付けることができる。この場合には、サングラス板、サングラス板取付アーム（７）、基体（３）とが、連動して一体的に動くこととなる。この場合のサングラス板の多段階停止機構については、図４に示す。
サングラス板取付アーム（７）の形状、サングラス板取付アーム（７）の基体（３）への取付方法、サングラス板のサングラス板取付アーム（７）への取付方法は問わない。
【００２０】
また、サングラス板取付アーム（７）を用いずに、左右に延びる軸片（２）の両端に軸片（２）に連続して、サングラス板を取付け可能なサングラス板取付片を設けることとしてもよい。この場合には、サングラス板、サングラス板取付片、軸片（２）、基体当接片（４）、弾性体受け片（６）とが、連動して一体的に動くこととなる。この場合の、サングラス板の多段階停止機構については、図５に示す。
【００２１】
なお、図３に示されるように、基体当接片（４）及び弾性体受け片（６）に、テーパー（１４）が設けられると、取付金具（１）の外観は一層スマートとなり好ましい。
基体当接片（４）と軸片（２）との接合端部（２２）、及び弾性体受け片（６）と軸片（２）との接合端部（２３）は、それぞれロウ付け又はカシメ止めを行うことによって、すきまなく処理することが好ましい。
【００２２】
次に、本発明の取付金具が有する、サングラス板の多段階停止機構について、図４に基づいて説明する。図４は、軸片（２）、基体当接片（４）、弾性体受け片（６）がメガネに対して回動不能に固定され、基体（３）が軸片（２）廻りを回動自在とされている場合の機構を示すものである。（１５）は説明のために付したポイントである。
【００２３】
図４に示されるように、最初の安定状態において、基体（３）は、取付金具（１）に内蔵されたコイル状ばね（５）の弾力により、基体当接片（４）の方に押圧されている。そして、基体（３）と基体当接片（４）とが、互いに噛み合わされて、安定状態にある。
この状態から、サングラス板取付アーム（７）が押し上げられると、それに連動して、基体（３）が軸片（２）廻りに回動される。同時に、基体（３）は、軸片（２）方向に沿って移動する動きを見せる。
図４に示されるように、基体（３）のポイント（１５）を付された山部が、基体（３）が回動するに従って、基体当接片（４）の谷部（１６）〜山部（１７）〜谷部（１８）と当接しながら軸片（２）廻りを移動する。
基体（３）のポイント（１５）を付された山部が、サングラス板取付アーム（７）が上方に押し上げられる外力が加えられるのに対応して、基体当接片（４）の谷部（１６）から山部（１７）へと向かう際には、基体（３）は、加えられた外力によりコイル状ばね（５）の弾力に抗して、弾性体受け片（６）の方に移動する。
基体（３）のポイント（１５）を付された山部が、基体当接片（４）の山部（１７）から谷部（１８）へと向かう際には、基体（３）は、今度はコイル状ばね（５）の付勢力によって、再び基体当接片（４）の方に戻されるように移動する。そして、基体（３）と基体当接片（４）とが、再び噛み合わされて安定状態に置かれる。
基体（３）と弾性体受け片（６）との間には、基体（３）のこのような軸片（２）方向の動きが可能とされるだけのスペースが設けられている必要がある。
【００２４】
以上が、基体（３）が、ある安定状態から、次の安定状態に移行されてゆくステップである。当然ながら、使用者が、このステップを連続的に行ったり、サングラス板取付アーム（７）を押し下げることによって、基体（３）を逆方向に回動させることも可能である。
【００２５】
図４に示されるように、基体（３）がスムーズに回動できるように、基体（３）及び、基体当接片（４）にそれぞれ設けられる山部（１９）、谷部（２０）が形成する角度（２１）は、９０°またはそれ以上の角度であることが好ましい。さらに、山部（１９）の突起した角に丸みがつけられ、谷部（２０）がそれと噛みあう同一形状とされると、一層好ましい。
【００２６】
設計段階において、谷部の深さ（山部から谷部までの距離）や、山部、谷部が形成する角度（２１）が調整されることによって、サングラス板（７）のさまざまな停止位置が実現可能となる。
【００２７】
さらに、他の多段階停止機構について、図５に基づいて説明する。図５は、基体（３）がメガネに対して回動不能に固定され、軸片（２）、基体当接片（４）、弾性体受け片（６）とが一体となって回動自在とされている場合の機構を示すものである。（１５’）（１５’’）は、説明のために付したポイントである。
【００２８】
図５に示されるように、最初の安定状態において、基体（３）は、取付金具（１）に内蔵されたコイル状ばね（５）の弾力により、基体当接片（４）の方に押圧されている。そして、基体（３）と基体当接片（４）とが、互いに噛み合わされて、安定状態にある。
この状態から、軸片（２）の両端に設けられたサングラス板取付片（図示せず）に取り付けられたサングラス板が押し上げられると、それに連動して、軸片（２）、基体当接片（４）、弾性体受け片（６）とが一体となって回動される。同時に、軸片（２）、基体当接片（４）、弾性体受け片（６）は、軸片（２）方向に沿って移動する動きを見せる。
図５に示されるように、基体当接片（４）のポイント（１５’）を付された山部が、基体当接片（４）が回動するに従って、基体（３）の谷部（１６’）〜山部（１７’）〜谷部（１８’）と当接しながら軸片（２）廻りを移動する。
基体当接片（４）のポイント（１５’）を付された山部が、サングラス板が上方に押し上げられる外力が加えられるのに対応して、基体（３）の谷部（１６’）から山部（１７’）へと向かう際には、基体当接片（４）が、加えられた外力によりコイル状ばね（５）の弾力に抗して、基体（３）から離れる向きに移動する。
基体当接片（４）のポイント（１５’）を付された山部が、基体（３）の山部（１７’）から谷部（１８’）へと向かう際には、基体当接片（４）が、今度はコイル状ばね（５）の付勢力によって、再び基体（３）の方に戻されるように移動する。そして、基体（３）と基体当接片（４）とが、再び噛み合わされて安定状態に置かれる。
弾性体受け片（６）に付されたポイント（１５’’）も、基体当接片（４）に付されたポイント（１５’）と同様に、軸片（２）廻りを移動する。
【００２９】
なお、本発明は、外部から力を加えられて形に一定限度内の変化が生じたコイル状ばね（５）が、力を取り去られると再びもとの状態に回復するという、コイル状ばね（５）の弾性的性質を利用したものである。
従って、本発明に係る取付金具は、このような弾性的性質を有する限りにおいて、コイル状ばね（５）に替えて、例えば、ゴムや合成樹脂等のコイル状ばね以外の弾性体によって構成されてもよい。
【００３０】
本発明に係るサングラスは、上述された機構を有する取付金具によって形成される。取付金具、サングラス板の大さや材質は、提供されるサングラスによって、種々設定可能である。
【００３１】
また、本発明に係るサングラスは、メガネに対して着脱自在なサングラスである。サングラスがメガネに装着されるために、以下の実施例で述べられるような棒状クリップや挟持片、押えロッド等の装着手段が設けられる。
取付金具から左右に伸びる軸片は、上述のようにサングラス板取付片を形成する他に、軸片をそのまま装着手段として用いてもよい。軸片に他の部材が接続されて、その部材が装着手段とされてもよい。本発明において、取付金具から左右に伸びる軸片は、どのような形で処理されてもよい。サングラス板を使用者が押し上げる／押し下げるときに、基体と軸片とが互いの回動に追従しない程度に、基体または軸片のいずれかがメガネに対して固定されていることが重要である。
【実施例１】
【００３２】
以下に、本発明の第１の実施例について、図面に基づいて説明する。
図６は、第１実施例に係るサングラスの正面図である。図７は、第１実施例に係るサングラスの平面図である。図８は、第１実施例に係るサングラスの側面図である。図９（ａ）は、第１実施例に係るサングラスの棒状クリップを示す図（背面図）である。図９（ｂ）は、第１実施例に係るサングラスの取付け状況を示す図（背面図）である。図９（ｃ）は、第１実施例に係るサングラスの取付け状況を示す図（側面図）である。図９（ｄ）は、第１実施例に係るサングラスの取付け完了状況を示す図（背面図）である。
【００３３】
本実施例は、図１〜図３及び図５に示された取付金具（１）によって形成されたサングラスに関するものである。
取付金具（１）は、すでに図１で示したように、軸片（２）、基体（３）、基体当接片（４）、コイル状ばね（５）、弾性体受け片（６）により構成される。該取付金具（１）によって、図６〜図８で示されるサングラスが形成されている。
【００３４】
図６〜図８で示されるように、本実施例においては、取付金具（１）の左右に伸びる軸片（２）は、両端においてサングラス板取付片（２５）を形成している。そして、左右一対のサングラス板（２６）が、リベット（３２）によってサングラス板取付片（２６）に取り付けられている。
【００３５】
取付金具（１）の背面側には、図９（ａ）に示すように、左右対称の棒状クリップ（２７）（２７’）が対向してろう付けされている。棒状クリップ（２７）（２７’）は、基体（３）にのみろう付け固定され、他の部材とは接続固定されていない。
本実施例に係るサングラスは、上記棒状クリップ（２７）（２７’）によって、メガネ（４０）に装着固定される。装着されると、棒状クリップ（２７）（２７’）と接続された基体（３）がメガネ（４０）と一体となって固定されるため、基体（３）が軸片（２）、基体当接片（４）、弾性体受け片（６）の回動に追従することが回避される。
【００３６】
次に、本実施例に係るサングラスの装着方法を図９（ａ）〜（ｄ）を用いて説明する。図９（ａ）〜（ｄ）においては、サングラス板の図示を省略している。
図９（ａ）に示すように、棒状クリップ（２７）（２７’）は、弾性に優れた棒状の部材（金属線材等）によって略Ｖ字形に形成される。棒状クリップ（２７）（２７’）の端部は、屈曲加工されてそれぞれ引掛部（２８）（２９）、（２８’）（２９’）を形成している。本実施例に係るサングラスは、この左右の棒状クリップ（２７）（２７’）の上下計四個の引掛部（２８）（２９）（２８’）（２９’）による四点でメガネに掛着固定されるものである。
装着時には、図９（ｂ）（ｃ）に示すように、棒状クリップ（２７）（２７’）を内側に向かって弾性変形させた状態で下方の引掛部（２９）（２９’）をメガネ内側面（４１）に引掛け、メガネ内側面（４１）に沿って上方にスライドさせる。このとき、上方の引掛部（２８）（２８’）は、メガネ（４０）と反対側に引いた状態でスライドさせる。
そして、図９（ｃ）（ｄ）に示すように、上方の引掛部（２８）（２８’）をメガネ上側面（４２）に引掛けるために、左右の棒状クリップ（２７）（２７’）を下方に押し下げる。
このようにして、内側に弾性変形された棒状クリップ（２７）（２７’）が、復元して外側へ向けて働く付勢力によって、メガネ（４０）に弾力的に掛着されることとなる。
本実施例に係るサングラスをメガネ（４０）から取り外すときには、以上と逆の動作を行うことにより簡単に取り外すことができる。
【００３７】
使用者がサングラスを装着すると、図６、図７で示されるように、メガネ（４０）のレンズの前面にサングラス板（２６）が位置し、使用者は、サングラス板（２６）を通して視野を見ることができる。
使用者がサングラス板（２６）を使用しないで視野を見たいときは、使用者は左右いずれかのサングラス板（２６）を手に持って、図８図に示されるように、サングラス板（２６）を上方に跳ね上げればよい。
【００３８】
軸片（２）、基体当接片（４）、弾性体受け片（６）は、サングラス板取付片（２５）を介して、サングラス板（２６）と連動される。サングラス板（２６）を押し上げると、軸片（２）、基体当接片（４）、弾性体受け片（６）を一体的に回動させる外力が、サングラス板取付片（２５）を介して、加えられる。基体当接片（４）が基体（３）と再び噛み合う位置まで回動すると、サングラス板（２６）が安定的に停止する。
使用者がサングラス板（２６）をさらに上方に跳ね上げたいときには、引き続きサングラス板（２６）を押し上げて、軸片（２）、基体当接片（４）、弾性体受け片（６）を回動させればよい。
【００３９】
このようにして、サングラス板（２６）は、段階的に跳ね上げられる。本実施例では、図８で示されるように、３段階の跳ね上げが可能とされている。
使用者がサングラス板（２６）を再び使用して視野を見たいとき、またはサングラス板（２６）の停止位置を変えたいときには、サングラス板（２６）を介して、軸片（２）を所望の方向に回動させればよい。
【００４０】
本実施例では、軸片（２）の直径が１ｍｍとされ、基体（３）、基体当接片（４）、弾性体受け片（６）の最大径が２．５ｍｍとされ、弾性体としてのコイル状ばね（５）の自然長が１０ｍｍとされ、コイル状ばね（５）の線径が０．３ｍｍとされている。
コイル状ばね（５）は、安定状態においては、自然長から約半分に縮められた長さで取付金具（１）に内蔵されている。
いずれの部材もステンレスで形成されている。サングラス板取付片（２５）、棒状クリップ（２７）（２７’）もステンレス製である。
【００４１】
本実施例のサングラスは上記のように構成されているので、取付金具（１）が非常に小さくて軽い。従って、サングラスがメガネ（４０）に装着されたときに、取付金具（１）が目立たない。また、長時間装着されても、使用者の鼻への負担が少ない。
その上、本実施例のサングラスは、図１６で示される従来品と比較して、外観が非常にスマートであり、デザイン性に優れる。
また、取付金具（１）には、多段階停止機構が備えられているので、使用者は、サングラス板を、好みの位置に安定的に停止させることができ、その位置を簡単に変えることもできる。使用中に、サングラス板（２６）が下がってくるおそれもない。
【００４２】
さらに、本実施例のサングラスは、棒状クリップ（２７）（２７’）によってしっかりと挟まれてメガネ（４０）に装着されるため、使用時にサングラスが外れるおそれがない。また、本実施例のような棒状クリップ（２７）（２７’）を用いれば、メガネのフレームを選ばずにどのようなメガネにも装着できる。そして、他の実施例のようなサングラス板取付アームが不要であり、部材数を減らすことができる。
【実施例２】
【００４３】
以下に、本発明の第２の実施例について、図面に基づいて説明する。
図１０は、第２実施例に係るサングラスの正面図である。図１１は、第２実施例に係るサングラスの平面図である。図１２は、第２実施例に係るサングラスの側面図である。
【００４４】
本実施例は、図１〜図４に示された取付金具（１）によって形成されたサングラスに関するものである。
取付金具（１）は、すでに図１で示したように、軸片（２）、基体（３）、基体当接片（４）、コイル状ばね（５）、弾性体受け片（６）により構成される。該取付金具（１）によって、図１０〜図１２で示されるサングラスが形成されている。
基体（３）には、サングラス板取付アーム（３０）がろう付けされている。そして、左右一対のサングラス板（３１）が、リベット（３２）によってサングラス板取付アーム（３０）に取り付けられている。
【００４５】
図１０〜図１２で示されるように、本実施例においては、取付金具（１）の左右に伸びる軸片（２）の両端が下方に折り曲げ加工されて、軸片（２）が挟持（３３）を形成している。軸片（２）は、さらに後方及び下方に向かって折り曲げられて、押えロッド（３４）を形成している。押えロッド（３４）の先端には、メガネ（４０）のレンズの傷つき防止と滑り止めのために、ゴムキャップ（３５）が被せられている。
【００４６】
本実施例に係るサングラスは、挟持片（３３）と押えロッド（３４）との間にメガネ（４０）のレンズ部分が挟み込まれるようにして、メガネ（４０）の上から被せられて装着される。
装着されると、軸片（２）が伸びて形成された挟持片（３３）及び押えロッド（３４）がメガネ（４０）と一体となって固定されるため、軸片（２）が基体（３）の回動に追従することが回避される。
【００４７】
使用者がサングラスを装着すると、図１０、図１１で示されるように、メガネ（４０）のレンズの前面にサングラス板（３１）が位置し、使用者は、サングラス板（３１）を通して視野を見ることができる。
使用者がサングラス板（３１）を使用しないで視野を見たいときは、使用者は左右いずれかのサングラス板（３１）を手に持って、図１２に示されるように、サングラス板（３１）を上方に跳ね上げればよい。
基体（３）が、サングラス板取付アーム（３０）を介して、サングラス板（３１）と連動される。サングラス板（３１）を押し上げると、基体（３）を軸片（２）廻りに回動させる外力が、基体（３）に加えられる。基体（３）が基体当接片（４）と再び噛み合う位置まで回動すると、サングラス板（３１）が安定的に停止する。
使用者がサングラス板（３１）をさらに上方に跳ね上げたいときには、引き続きサングラス板（３１）を押し上げて、基体（３）を回動させればよい。
【００４８】
このようにして、サングラス板（３１）は、段階的に跳ね上げられる。本実施例では、図１２で示されるように、３段階の跳ね上げが可能とされている。
使用者がサングラス板（３１）を再び使用して視野を見たいとき、またはサングラス板（３１）の停止位置を変えたいときには、サングラス板（３１）を介して、基体（３）を所望の方向に回動させればよい。
【００４９】
本実施例のようなサングラスであれば、前実施例と同様に、取付金具（１）をきわめて小さく、軽く構成することが可能である。
また、取付金具（１）には、多段階停止機構が備えられているので、使用者は、サングラス板（３１）を、所望の位置に簡単かつ確実に停止させることができる。
さらに、本実施例のサングラスは、挟持片（３３）と押えロッド（３４）によってメガネ（４０）にしっかりと挟着固定させることができる。
【実施例３】
【００５０】
以下に、本発明の第３の実施例について図面に基づいて説明する。
図１３は、第３実施例に係るサングラスの正面図である。図１４は、第３実施例に係るサングラスの平面図である。図１５は、第３実施例に係るサングラスの側面図である。
【００５１】
本実施例は、図１〜図４に示された取付金具（１）によって形成されたサングラスの他の実施例に関するものである。
本実施例におけるサングラスのサングラス板（３６）は、図１３に示されるように、一枚のサングラス板により一体的に構成されている。サングラス板（３６）は、リベット（３２）によって、サングラス板取付アーム（３０）に取り付けられている。
本実施例では、図１３〜図１５に示されるように、取付金具（１）から左右に伸びる軸片（２）の両端が水平面内でフック状に折り曲げ加工され、軸片支持体（３７）に巻き付け固定されている。
軸片支持体（３７）、挟持片（３８）、押えロッド（３９）は、透明プラスチックで一体的に成形されている。
【００５２】
本実施例に係るサングラスも、挟持片（３８）と押えロッド（３９）との間にメガネ（４０）のレンズ部分が挟み込まれるようにしてメガネに装着される。
サングラス板（３６）と基体（３）は、サングラス板取付アーム（３０）を介して、連動している。図１５に示されるように、サングラス板（３６）を押し上げる／押し下げることによって、基体（３）と基体当接片（４）が噛み合う位置で、サングラス板（３６）が、段階的かつ安定的に停止される。
【００５３】
本実施例では、軸片支持体（３７）、挟持片（３８）、押えロッド（３９）が、プラスチックにより形成されているため、サングラスの重量を一層軽量化することが可能となる。
また、そのプラスチックは透明であるため、見た目がよりシンプルとなる。さらに、使用者がサングラスを装着したときに、挟持片（３８）、押えロッド（３９）の存在が気にならず、使用者は良好な視界を確保することができる。
【図面の簡単な説明】
【００５４】
【図１】本発明における取付金具の構成を示す図である。
【図２】本発明における取付金具の断面図である。
【図３】本発明における取付金具の正面図である。
【図４】本発明における取付金具の多段階停止機構を示す図である。
【図５】本発明における取付金具の他の多段階停止機構を示す図である。
【図６】第１実施例に係るサングラスの正面図である。
【図７】第１実施例に係るサングラスの平面図である。
【図８】第１実施例に係るサングラスの側面図である。
【図９】（ａ）第１実施例に係るサングラスの棒状クリップを示す図（背面図）である。（ｂ）第１実施例に係るサングラスの取付け状況を示す図（背面図）である。（ｃ）第１実施例に係るサングラスの取付け状況を示す図（側面図）である。（ｄ）第１実施例に係るサングラスの取付け完了状況を示す図（背面図）である。
【図１０】第２実施例に係るサングラスの正面図である。
【図１１】第２実施例に係るサングラスの平面図である。
【図１２】第２実施例に係るサングラスの側面図である。
【図１３】第３実施例に係るサングラスの正面図である。
【図１４】第３実施例に係るサングラスの平面図である。
【図１５】第３実施例に係るサングラスの側面図である。
【図１６】先行技術に係るサングラスを示す図である。
【符号の説明】
【００５５】
１  取付金具  
２  軸片
３  基体
４  基体当接片
５  コイル状ばね
６  弾性体受け片
７  サングラス板取付アーム
１０  山部
１１、１２  谷部
１３  山部
１４  テーパー
１５、１５’、１５’’  ポイント
１６、１６’  谷部
１７、１７’  山部
１８、１８’  谷部
１９  山部
２０  谷部
２１  形成角度
２２、２３  接合端部
２５  サングラス板取付片
２６  サングラス板
２７、２７’  棒状クリップ
２８、２８’  引掛部
２９、２９’  引掛部
３０  サングラス板取付アーム
３１  サングラス板
３２  リベット
３３  挟持片
３４  押えロッド
３５  ゴムキャップ
３６  サングラス板
３７  軸片支持体
３８  挟持片
３９  押えロッド
４０  メガネ
４１  メガネ内側面
５０  挟持クリップ
５１  挟持腕
【図１】
2006162905.tif 000003
【図２】
2006162905.tif 000004
【図３】
2006162905.tif 000005
【図４】
2006162905.tif 000006
【図５】
2006162905.tif 000007
【図６】
2006162905.tif 000008
【図７】
2006162905.tif 000009
【図８】
2006162905.tif 000010
【図９】
2006162905.tif 000011
【図１０】
2006162905.tif 000012
【図１１】
2006162905.tif 000013
【図１２】
2006162905.tif 000014
【図１３】
2006162905.tif 000015
【図１４】
2006162905.tif 000016
【図１５】
2006162905.tif 000017
【図１６】
2006162905.tif 000018